(57)【要約】【課題】  管理者への負担を軽減することができる設定内容記憶装置及び伝送制御装置を提供する。【解決手段】  設定内容記憶装置４は、時刻を計時し、予め設定された時刻になると、制御側端末器２に接続されたスイッチなどのトリガ生成手段と負荷側端末器３に接続された照明器具などの負荷との対応関係を示す関係データを信号線Ｌｓを介して伝送制御装置１から読み取ってバックアップする。伝送制御装置１において事故により関係データが失われた場合にも容易に復旧することができる。また、関係データが設定時刻毎に自動的にバックアップされるので、関係データのバックアップ毎に作業を行う必要がないから、管理者への負担が軽減される。【選択図】図１
2007142576.tif 000002
【特許請求の範囲】
【請求項１】
トリガを生成するトリガ生成手段を備えトリガ生成手段毎に固有のアドレスが設定される制御側端末器と、負荷が接続され負荷毎に固有のアドレスが設定される負荷側端末器と、制御側端末器及び負荷側端末器が分岐接続された信号線を介して制御側端末器及び負荷側端末器との間で時分割多重伝送方式により伝送信号を授受し、トリガが生成されたときに制御側端末器から受け取る監視データに基いて負荷を制御する制御データを生成するとともに、トリガを生成したトリガ生成手段に対し予め設定された関係データによって関係付けられた負荷を接続した負荷側端末器に対して制御データを伝送する伝送制御装置とを備える遠隔制御システムに用いられ、
時刻を計時するタイマ部と、不揮発性メモリからなる記憶部と、タイマ部によって計時された時刻が予め設定された所定の設定時刻となったときに伝送制御装置から関係データの少なくとも一部を読み取って記憶部に格納する制御部とを備えることを特徴とする設定内容記憶装置。
【請求項２】
制御部には複数の設定時刻が設定され、制御部は、関係データの互いに異なる一部分を互いに異なる設定時刻に読み取ることを特徴とする請求項１記載の設定内容記憶装置。
【請求項３】
制御部によって制御され、着脱自在な記憶媒体に関係データを格納するメモリライタ部を備えることを特徴とする請求項１又は請求項２記載の設定内容記憶装置。
【請求項４】
制御部は、関係データが読み取られた日時を示す日時データを各関係データに関連付けて記憶部に格納することを特徴とする請求項１〜３のいずれか記載の設定内容記憶装置。
【請求項５】
関係データが出力されるデータ出力端子を伝送制御装置が有する遠隔制御システムに用いられ、
データ出力端子に接触導通するデータ入力端子を有し、制御部はデータ入力端子を介して伝送制御装置から関係データを読み取ることを特徴とする請求項１〜４のいずれか記載の設定内容記憶装置。
【請求項６】
トリガを生成するトリガ生成手段を備えトリガ生成手段毎に固有のアドレスが設定される制御側端末器と、負荷が接続され負荷毎に固有のアドレスが設定される負荷側端末器とを備える遠隔制御システムに用いられる伝送制御装置であって、
制御側端末器及び負荷側端末器が分岐接続された信号線を介して制御側端末器及び負荷側端末器との間で時分割多重伝送方式により伝送信号を授受する送受信部と、制御側端末器に接続されたトリガ生成手段と負荷側端末器に接続された負荷との対応関係を示す関係データが格納された揮発性メモリからなる設定内容記憶部と、トリガ生成手段によりトリガが生成されたときに、制御側端末器から信号線と送受信部とを介して監視データを受け取り、受け取った監視データに基いて負荷を制御する制御データを生成するとともに、トリガを生成したトリガ生成手段に対して設定内容記憶部に格納された関係データによって関係付けられた負荷を接続した負荷側端末器へ、送受信部を制御して制御データを伝送させる制御部と、時刻を計時するタイマ部と、不揮発性メモリからなる予備記憶部とを備え、
制御部は、タイマ部によって計時された時刻が予め設定された所定の設定時刻となったときに、設定内容記憶部に格納されている関係データの少なくとも一部を予備記憶部に格納することを特徴とする伝送制御装置。
【発明の詳細な説明】
【技術分野】
【０００１】
本発明は、遠隔制御システムにおいて制御に用いられる関係データを記憶する設定内容記憶装置及び伝送制御装置に関するものである。
【背景技術】
【０００２】
従来から、時分割多重伝送信号を用いた遠隔制御システムが提供されている。この種の遠隔制御システムの概略構成を図１０に示す。
【０００３】
この遠隔制御システムは、伝送制御装置１と、それぞれ２線式の信号線Ｌｓを介して伝送制御装置１に分岐接続された複数台（１台のみ図示）の制御側端末器２と複数台（１台のみ図示）の負荷側端末器３とを備える。
【０００４】
制御側端末器２には、負荷を制御するためのトリガを発生する例えばスイッチや人感センサなどのトリガ生成手段が少なくとも１個ずつ接続されている。
【０００５】
負荷側端末器３には、それぞれ照明器具や換気扇などの負荷（図示せず）が少なくとも１個ずつ接続されている。トリガ生成手段と負荷とには、それぞれ個別のアドレスが設定されている。システム全体で使用可能なアドレスは、例えば０〜６３の番号が付された６４個のチャンネルに、それぞれ０〜３の番号が付された４回路ずつの計２５６個であって、チャンネル番号と回路番号とから例えば６３−３のように表される。
【０００６】
伝送制御装置１は信号線Ｌｓに対して、図１１（ａ）に示すフォーマットの伝送信号Ｖｓを送出する。すなわち、この伝送信号Ｖｓは信号送出開始を示す同期信号ＳＹ、伝送信号Ｖｓのモードを示すモードデータＭＤ、制御側端末器２や負荷側端末器３を格別に呼び出すためのアドレスデータＡＤ、負荷を制御する制御データＣＤ、伝送誤りを検出するためのチェックサムデータＣＳ、制御側端末器２や負荷側端末器３からの返信信号（監視データ）を受信するタイムスロットである信号返信機関ＷＴよりなる双極性（±２４Ｖ）の時分割多重信号であり、図１１（ｂ）のようなパルス幅変調によってデータが伝送されるようになっている。各制御側端末器２及び各負荷側端末器３では、信号線Ｌｓを介して受信した伝送信号Ｖｓにより伝送されたアドレスデータＡＤが予め設定されているアドレスに一致すると、伝送信号Ｖｓから制御データＣＤを取り込むとともに、伝送信号Ｖｓの信号返信期間ＷＴに監視データを電流モード信号（信号線Ｌｓを適当な低インピーダンスを介して短絡することにより送出される信号）として返信する。
【０００７】
伝送制御装置１から所望の制御側端末器２や負荷側端末器３にデータを送出する場合には、モードデータＭＤを制御モードとし、制御側端末器２または負荷側端末器３のアドレスをアドレスデータＡＤとする伝送信号Ｖｓを送出し、この伝送信号Ｖｓを信号線Ｌｓに送出すれば、アドレスデータＡＤに一致する制御側端末器２または負荷側端末器３が制御データＣＤを受け取り、信号返信期間ＷＴに監視データを返信する。伝送制御装置１では送出した制御データＣＤと信号返信期間ＷＴに受信した監視データとの関係によって制御データＣＤが所望の制御側端末器２または負荷側端末器３に伝送されたことを確認する。負荷側端末器３は受け取った制御データＣＤに従って負荷Ｌを制御するための負荷制御信号を出力し、制御側端末器２では受け取った制御データＣＤに従って負荷Ｌの動作確認表示を行なうための表示信号を出力する。
【０００８】
一方、伝送制御装置１は通常時にはモードデータＭＤをダミーモードとした伝送信号Ｖｓを一定時間間隔で送出している（常時ポーリングという）。この場合、ある負荷側端末器３に対してアクセスして、負荷状態を示す監視データの返信を要求し、これに対してアクセスされた負荷側端末器３からは接続している負荷状態を監視データとして伝送制御装置１に返信する。この返信を受け取った伝送制御装置１はこの負荷側端末器３に対応関係がある制御側端末器２のアドレスをアクセスして対応する負荷側端末器３に接続されている負荷４の状態を表示させるための制御データＣＤを伝送制御装置から伝送する。
【０００９】
このようにして常時ポーリングでは負荷側端末器３とこの負荷側端末器３に対応関係を持つ制御側端末器２のアドレスをアクセスする動作をサイクリックに繰り返している。
【００１０】
そして常時ポーリング下で、伝送制御装置１に対して何らかの情報を伝送しようとするときには、ダミーモードの伝送信号Ｖｓの同期信号ＳＹに同期させて図１１（ｃ）のような割込信号Ｖｉを発生させる。このとき、制御側端末器２は割込フラグを設定して伝送制御装置１との以後の情報授受に備える。伝送制御装置１では割込信号Ｖｉを受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号Ｖｉを発生した制御側端末器２では、割込ポーリングモードの伝送信号のアドレスデータＡＤの上位４ビットが制御側端末器２に設定されているアドレスの上位４ビットに一致するときに、信号返信期間ＷＴにアドレスの下位４ビットを伝送制御装置１に返信する。このように、伝送制御装置１は割込信号Ｖｉを発生した制御側端末器２を１６個ずつまとめて探すので、比較的短い時間で制御側端末器２を発見することができる。
【００１１】
伝送制御装置１が割込信号Ｖｉを発生した制御側端末器２のアドレスを獲得すると、モードデータＭＤを監視モードとし、獲得したアドレスデータＡＤを持つ伝送信号Ｖｓを信号線Ｌｓに送出するのであって、この伝送信号Ｖｓに対して制御側端末器２は伝送しようとする情報を信号返信期間ＷＴに返信するのである。最後に、伝送制御装置１は割込信号Ｖｉを発生した制御側端末器２に対して割込リセットを指示する信号を送出し、制御側端末器２の割込フラグを解除する。以上のようにして、制御側端末器２から伝送制御装置１への情報伝送は、伝送制御装置１から制御側端末器２への４回の信号伝送（ダミーモード、割込ポーリングモード、監視モード、割込リセット）によって完了する。伝送制御装置１が所望の負荷側端末器３の動作状態を知ろうとするときには、モードデータＭＤを監視モードとした伝送信号を送出するだけでよい。
【００１２】
そして、トリガ生成手段によりトリガが生成されると、制御側端末器２は、生成されたトリガに応じた監視データを伝送制御装置１に返信し、伝送制御装置１は、この監視データに基づいて生成した制御データＣＤを含む伝送信号Ｖｓを負荷側端末器３に伝送し、負荷側端末器３は、伝送された伝送信号Ｖｓ中の制御データＣＤに応じて負荷を制御する。また、負荷を制御した負荷側端末器３は、監視データを伝送制御装置１に返信し、伝送制御装置１は、返信された監視データを基に動作状態表示のための制御データＣＤを含む伝送信号Ｖｓを生成して制御側端末器２に伝送する。この伝送信号Ｖｓによって制御側端末器２では負荷の動作状態を表示する表示灯（発光ダイオードなど）を点灯・消灯する。
【００１３】
ここで、トリガ生成手段としてのスイッチによる負荷の制御としては、１つのスイッチに１回路の負荷を対応付ける個別制御と、１つのスイッチ操作で複数回路の負荷を一斉に同じ状態に動作させるグループ制御と、１つのスイッチ操作で複数回路の負荷を夫々の負荷毎に設定している状態に動作させるパターン制御とがある。グループ制御やパターン制御の関係データを伝送制御装置１に設定するに当たっては、関係データを入力する入力手段と、入力手段により入力された関係データを伝送制御装置１に信号線Ｌｓを介して転送させる転送手段とを備えたパターン・グループ設定器ＰＧや、複数個のトリガ生成手段としてのスイッチを有する制御側端末器２の機能とパターン・グループ設定器ＰＧの機能とを有するパターン・グループ設定スイッチ付セレクタスイッチ２ａ等が使用される。
【００１４】
また、信号線Ｌｓは、ネットワークコントロールユニットＮＵと、ローカルインタフェースユニットＬＵと、ＷｅｂサーバユニットＷＵとを介して公衆網（図示せず）に接続されており、外部から公衆網を介して負荷を監視及び制御することも可能となっている。
【特許文献１】特開２００３−３７８７９号公報
【発明の開示】
【発明が解決しようとする課題】
【００１５】
ところで、伝送制御装置１の記憶手段に格納された関係データが事故によって失われた場合、復旧のためにはパターン・グループ設定器ＰＧやパターン・グループ設定スイッチ付セレクタスイッチ２ａ等を用いて関係データを再入力する必要がある。特に、負荷やトリガ生成手段を多数含む遠隔制御システムにおいては、復旧に要する労力は多大なものとなる。
【００１６】
そこで、例えばモバイルパソコンのようなデータ管理用端末器ＤＵに関係データを定期的にバックアップしておき、復旧時にはバックアップされた関係データを用いることが考えられる。
【００１７】
従来は、データ管理用端末器ＤＵに関係データをバックアップする度に、パターン・グループ設定スイッチ付セレクタスイッチ２ａや、ネットワークコントロールユニットＮＵや、ローカルインタフェースユニットＬＵや、公衆網や、ＷｅｂサーバユニットＷＵを介して、データ管理用端末器ＤＵを伝送制御装置１に接続していた。
【００１８】
しかし、上記のような関係データのバックアップ作業中は伝送制御装置１の動作の停止や速度の低下が発生するため、バックアップ作業は夜間や休日に行う必要があり、管理者にとって負担となっていた。
【００１９】
本発明は上記事由に鑑みて為されたものであり、その目的は、管理者への負担を軽減することができる設定内容記憶装置及び伝送制御装置を提供することにある。
【課題を解決するための手段】
【００２０】
請求項１の発明は、トリガを生成するトリガ生成手段を備えトリガ生成手段毎に固有のアドレスが設定される制御側端末器と、負荷が接続され負荷毎に固有のアドレスが設定される負荷側端末器と、制御側端末器及び負荷側端末器が分岐接続された信号線を介して制御側端末器及び負荷側端末器との間で時分割多重伝送方式により伝送信号を授受し、トリガが生成されたときに制御側端末器から受け取る監視データに基いて負荷を制御する制御データを生成するとともに、トリガを生成したトリガ生成手段に対し予め設定された関係データによって関係付けられた負荷を接続した負荷側端末器に対して制御データを伝送する伝送制御装置とを備える遠隔制御システムに用いられ、時刻を計時するタイマ部と、不揮発性メモリからなる記憶部と、タイマ部によって計時された時刻が予め設定された所定の設定時刻となったときに伝送制御装置から関係データの少なくとも一部を読み取って記憶部に格納する制御部とを備えることを特徴とする。
【００２１】
この発明によれば、関係データが記憶部にバックアップされるから、伝送制御装置において事故により関係データが失われた場合にも容易に復旧することができる。また、関係データが設定時刻毎に自動的に記憶部にバックアップされるから、関係データのバックアップ毎に作業を行う必要がないので、管理者への負担が軽減される。
【００２２】
請求項２の発明は、請求項１の発明において、制御部には複数の設定時刻が設定され、制御部は、関係データの互いに異なる一部分を互いに異なる設定時刻に読み取ることを特徴とする。
【００２３】
この発明によれば、関係データを一部分ずつに分割して読み取ることになるから、全ての関係データを一度に読み取る場合に比べ、一度の読み取りにかかる時間が短縮され、遠隔制御システムの動作に与える影響を低減することができる。
【００２４】
請求項３の発明は、請求項１又は請求項２の発明において、制御部によって制御され、着脱自在な記憶媒体に関係データを格納するメモリライタ部を備えることを特徴とする。
【００２５】
この発明によれば、記憶媒体を用いた関係データの管理が可能となる。
【００２６】
請求項４の発明は、請求項１〜３のいずれかの発明において、制御部は、関係データが読み取られた日時を示す日時データを各関係データに関連付けて記憶部に格納することを特徴とする。
【００２７】
この発明によれば、日時データを参照することにより、関係データの管理が容易となる。
【００２８】
請求項５の発明は、請求項１〜４のいずれかの発明において、関係データが出力されるデータ出力端子を伝送制御装置が有する遠隔制御システムに用いられ、データ出力端子に接触導通するデータ入力端子を有し、制御部はデータ入力端子を介して伝送制御装置から関係データを読み取ることを特徴とする。
【００２９】
この発明によれば、関係データの送受信にデータ出力端子及びデータ入力端子を用いることにより、関係データの送受信に電線を用いる場合に比べて伝送制御装置への接続が容易となる。
【００３０】
請求項６の発明は、トリガを生成するトリガ生成手段を備えトリガ生成手段毎に固有のアドレスが設定される制御側端末器と、負荷が接続され負荷毎に固有のアドレスが設定される負荷側端末器とを備える遠隔制御システムに用いられる伝送制御装置であって、制御側端末器及び負荷側端末器が分岐接続された信号線を介して制御側端末器及び負荷側端末器との間で時分割多重伝送方式により伝送信号を授受する送受信部と、制御側端末器に接続されたトリガ生成手段と負荷側端末器に接続された負荷との対応関係を示す関係データが格納された揮発性メモリからなる設定内容記憶部と、トリガ生成手段によりトリガが生成されたときに、制御側端末器から信号線と送受信部とを介して監視データを受け取り、受け取った監視データに基いて負荷を制御する制御データを生成するとともに、トリガを生成したトリガ生成手段に対して設定内容記憶部に格納された関係データによって関係付けられた負荷を接続した負荷側端末器へ、送受信部を制御して制御データを伝送させる制御部と、時刻を計時するタイマ部と、不揮発性メモリからなる予備記憶部とを備え、制御部は、タイマ部によって計時された時刻が予め設定された所定の設定時刻となったときに、設定内容記憶部に格納されている関係データの少なくとも一部を予備記憶部に格納することを特徴とする。
【００３１】
この発明によれば、関係データが予備記憶部にバックアップされるから、事故により設定内容記憶部から関係データが失われた場合にも容易に復旧することができる。また、設定された時刻毎に関係データが自動的に予備記憶部にバックアップされるから、関係データのバックアップ毎に作業を行う必要がない。
【発明の効果】
【００３２】
本発明によれば、時刻を計時するタイマ部と、不揮発性メモリからなる記憶部又は予備記憶部と、タイマ部によって計時された時刻が予め設定された所定の設定時刻となったときに伝送制御装置から関係データの少なくとも一部を読み取って記憶部に格納する制御部とを備えるので、関係データが記憶部又は予備記憶部にバックアップされるから、伝送制御装置において事故により関係データが失われた場合にも容易に復旧することができる。また、関係データが設定時刻毎に自動的に記憶部にバックアップされるから、関係データのバックアップ毎に作業を行う必要がないので、管理者への負担が軽減される。
【発明を実施するための最良の形態】
【００３３】
以下、本発明を実施するための最良の形態について、図面を参照しながら説明する。
【００３４】
（実施形態１）
図１に示すように、本実施形態の設定内容記憶装置４は、背景技術として説明した遠隔制御システムにおける伝送制御装置１に対して信号線Ｌｓを介して接続され、予め設定された時刻に自動的に伝送制御装置１の関係データをバックアップするものである。
【００３５】
具体的に説明すると、設定内容記憶装置４は、図２に示すように、時刻を計時するタイマ部４１と、関係データが格納される関係データ記憶部４２と、バックアップが行われる時刻とバックアップの対象となる関係データの範囲との組がプログラム番号を付されて少なくとも１組格納された動作記憶部４３と、信号線Ｌｓを介して伝送制御装置１との間で伝送信号を送受信する送受信部４４と、タイマ部４１によって計時された時刻が動作記憶部４３に格納された時刻のうち予め設定されたプログラム番号に対応した時刻となったときに送受信部４４を制御し、伝送制御装置１に設定されている関係データを読みとって関係データ記憶部４２に格納する制御部４５と、液晶パネル４６ａ（図３（ａ）参照）及びその駆動回路からなる表示部４６と、使用者によって操作される操作部４７と、制御部４５によって制御され着脱自在な記憶媒体である外部メモリＭＣとの間で関係データの書き込み及び読み出しを行うメモリライタ部４８と、交流電源に接続され上記各部に電源を供給する電源部４９とを備える。外部メモリＭＣは、例えば一般に市販されているフラッシュメモリを用いたカード形状のものである。
【００３６】
上記各部は、図３（ａ）〜（ｃ）に示すように全体として略直方体形状のハウジング４０に収納されている。以下、上下左右は図３（ａ）を基準とし、図３（ｂ）の左右方向を前後方向として説明する。ハウジング４０の前面の左右両端部には、それぞれ前方と左右方向の外側とに開放された凹部４０ａが複数個（図３（ａ）〜（ｃ）では６個）ずつ設けられている。左側の凹部４０ａのうち下端の２個には、それぞれねじ端子からなり電源部４９に電気的に接続された電源端子４９ａが収納されている。電源部４９に入力される電源は、例えば商用電源から、電力を安定化する電源ユニットＰＵと電力線Ｌｐと電源端子４９ａとを介して供給されている。また、右側の凹部４０ａのうち下端の２個には、それぞれねじ端子からなり送受信部４４に電気的に接続された入出力端子４４ａが収納されている。さらに、ハウジング４０の前面には、液晶パネル４６ａを露出させてある。また、ハウジング４０の前面において液晶パネル４６ａの上側には、メモリライタ部４８に接続される外部メモリＭＣが出し入れされるスロット４８ａが開口している。
【００３７】
操作部４７は、それぞれ液晶パネル４６ａの下側に保持され使用者によってハウジング４０の前側から押操作される押釦スイッチからなるモード釦４７ａ，増釦４７ｂ，減釦４７ｃ，設定釦４７ｄ，取消釦４７ｅ，戻る釦４７ｆを有する。使用者は、操作部４７の押釦４７ａ〜４７ｆを操作することにより、関係データをバックアップする時間と、バックアップする関係データの範囲とを、プログラム番号毎に設定することができる。
【００３８】
操作部４７を用いた設定の手順を、図４のフローチャートを参照しながら説明する。
【００３９】
モード釦４７ａを押操作すると、液晶パネル４６ａに表示される動作モードが通常→設定→特別→通常…とサイクリックに切り換わる。通常モードは、設定された時刻に関係データをバックアップする動作モードである。また、設定モードは、後述するようにバックアップを行う関係データの範囲及びバックアップを行う時刻を設定するモードである。特別モードについては後述する。
【００４０】
動作を設定する操作を説明する。まず、既に述べたようにモード釦４７ａを押操作して動作モードを設定モードに切り換える（Ｓ１）。すると、液晶パネル４６ａにプログラム番号が表示される。この状態で増釦４７ｂや減釦４７ｃを押操作すると、表示されているプログラム番号がサイクリックに切り換わる。このように増釦４７ｂや減釦４７ｃによってプログラム番号を選択し、所望のプログラム番号が表示されているときに設定釦４７ｄを押操作すれば、設定するプログラム番号が決定される（Ｓ２）。以下、入力する内容は、プログラム番号と同様に増釦４７ｂ及び減釦４７ｃによって選択し、設定釦４７ｄによって決定する。次に、バックアップの対象とする関係データの範囲を、パターン制御に関するものとグループ制御に関するものとの両方、パターン制御に関するもののみ、グループ制御に関するもののみ、のうちから選択する（Ｓ３）。次に、特定の日時に１回のみバックアップを行う日時動作か、毎月特定の曜日の特定の時刻にパックアップを行う毎月動作か、毎週特定の曜日の特定の時刻にパックアップを行う毎週動作か、毎日特定の時刻にパックアップを行う毎日動作かを選択する（Ｓ４）。そして、日時動作であればバックアップを行う年月日を年、月、日の順に選択する（Ｓ５）。毎月動作であれば、毎月の第１週〜第５週のうちいずれの週にバックアップを行うかを入力し（Ｓ６）、その週においてバックアップを行う曜日を入力し（Ｓ７）、その曜日においてバックアップを行う時刻を入力する（Ｓ８）。毎週動作であればステップＳ７とステップＳ８とが行われ、毎日動作であればステップＳ８のみが行われる。また、入力を誤った場合、戻る釦４７ｆを押操作すれば１つ前のステップに戻ることができ、取消釦４７ｅを押操作すれば設定モードに切り換えてからの入力内容を全て破棄することができる。入力が完了したら、モード釦４７ａを押操作し、動作モードを通常モードに戻す（Ｓ９）。以後は、直前の設定モードにおいて選択されたプログラム番号が有効となる。すなわち、制御部４５は、タイマ部４１によって計時された時刻が該プログラム番号に設定された時刻となったときに、該プログラム番号に設定された範囲の関係データを伝送制御装置１から読み取って関係データ記憶部４２に格納（バックアップ）する。
【００４１】
上記バックアップ動作の具体例を以下に説明する。まず、制御部４５は、送受信部４４を制御し、ダミーモードの伝送信号Ｖｓの同期信号ＳＹに同期させて割込信号Ｖｉを発生させる。このとき、制御部４５は割込フラグを設定して伝送制御装置１との以後の情報授受に備える。伝送制御装置１では割込信号Ｖｉを受信すると、モードデータＭＤを割込ポーリングモードとしかつアドレスデータＡＤの上位の半数のビット（アドレスデータＡＤを８ビットとすれば上位４ビット）を順次増加させながら伝送信号を送出する。本実施形態の設定内容記憶装置４にはアドレスが設定されており、制御部４５は、送受信部４４に受信された割込ポーリングモードの伝送信号のアドレスデータＡＤの上位４ビットが自身に設定されているアドレスの上位４ビットに一致するときに、信号返信期間ＷＴにアドレスの下位４ビットを伝送制御装置１に返信する。
【００４２】
伝送制御装置１が割込信号Ｖｉを発生した設定内容記憶装置４のアドレスを獲得すると、モードデータＭＤを監視モードとし、獲得したアドレスデータＡＤを持つ伝送信号Ｖｓを信号線Ｌｓに送出する。この伝送信号Ｖｓが送受信部４４に受信されると、制御部４５は、要求する関係データの範囲を示す関係データ送信要求信号を信号返信期間ＷＴに返信する。伝送制御装置１は、関係データ送信要求信号を受信すると、関係データ送信要求信号に示された範囲の関係データを含む伝送信号Ｖｓを設定内容記憶装置４へ送出する。関係データは複数回の伝送信号Ｖｓに分けて送信され、送出される伝送信号Ｖｓは、例えばモードデータＭＤを制御モードとし、制御データＣＤとして関係データ送信要求信号に示された範囲の関係データの一部を含むものである。設定内容記憶装置４では、上記伝送信号Ｖｓが送受信部４４に受信されると、制御部４５は受信された関係データを関係データ記憶部４２に格納するとともに、送受信部４４を制御して関係データの受信が成功したことを示す所定の応答信号を信号返信期間ＷＴに伝送制御装置１に送出させる。伝送制御装置１は、応答信号を受信すると、設定内容記憶装置４に対し、要求された範囲の関係データの送信が完了していない場合には関係データの続きを含む伝送信号Ｖｓを送信し、要求された範囲の関係データの送信が完了した場合には割込リセットを指示する信号を送出する。設定内容記憶装置４では、割込リセットを指示する信号が送受信部４４に受信されると、制御部４５は割込フラグを解除し、ここにおいてバックアップ動作が完了する。
【００４３】
また、関係データ記憶部４２に格納された関係データは、メモリライタ部４８により外部メモリＭＣに格納することができる。関係データを外部メモリＭＣに格納する動作については、例えば、関係データ記憶部４２に関係データを格納する際にスロット４８ａに外部メモリＭＣが挿入されていれば自動的に外部メモリＭＣに関係データを格納するようにしてもよいし、関係データ記憶部４２に格納された関係データを操作部４７に加えられた操作に応じて外部メモリＭＣにコピー又は移動するようにしてもよい。
【００４４】
ここで、制御部４５は、関係データを関係データ記憶部４２に格納する際に、時刻を示す日時データを例えばファイル名やヘッダといった形で関係データに関連付けて格納する。この日時データは、例えば外部メモリＭＣに対応したパソコンや、従来例で述べたデータ管理端末器ＤＵによって読み取り可能とする。従って、関係データ記憶部４２に複数通りの関係データを格納した場合や、メモリライタ部４８を用いて関係データを外部メモリＭＣに格納した場合でも、使用者は日時データを参照することにより関係データの新旧を知ることができる。
【００４５】
さらに、本実施形態では、操作部４７への操作によりスイッチのアドレスを設定すれば、そのスイッチを操作することにより上記バックアップ動作のオンオフを切り換えることができるようになっている。具体的に説明すると、スイッチのアドレスを設定するには、モード釦４７ａを押操作して動作モードを特別モードに切り換えた後、増釦４７ｂ及び減釦４７ｃによってスイッチのアドレスを選択し、設定釦４７ｄによって決定する。制御部４５は、信号線Ｌｓに伝送される監視データを監視しており、設定されたアドレスを有するスイッチが押操作されたことを示す監視データが送受信部４４に受信されると、関係データのバックアップ動作を行うオン状態と関係データのバックアップ動作を行わないオフ状態とを切り換える。
【００４６】
上記構成によれば、関係データが記憶部にバックアップされることにより、伝送制御装置１において事故により関係データが失われた場合にも容易に復旧することができる。
【００４７】
また、関係データが設定時刻毎に自動的に関係データ記憶部４２にバックアップされるので、関係データのバックアップ毎に作業を行う必要がないから、管理者への負担が軽減される。
【００４８】
ここで、例えば従来例で述べたように公衆網を介して伝送制御装置１に接続されたデータ管理用端末器ＤＵでは、伝送制御装置１との間に介在するネットワークコントロールユニットＮＵ、ローカルインタフェースユニットＬＵ、公衆網、ＷｅｂサーバユニットＷＵのいずれかに問題が発生すると、関係データのバックアップを行うことができなかった。これに対し、本実施形態は、信号線Ｌｓのみを介して伝送制御装置１に接続されているから、より確実に関係データのバックアップを行うことができる。
【００４９】
なお、ある時刻には１番目〜１６番目のアドレスのトリガ生成手段に対応する関係データをバックアップし、別の時刻には１７番目〜３２番目のアドレスのトリガ生成手段に対応する関係データをバックアップするといったように、関係データを一部ずつ複数回に分けてバックアップするようにしてもよい。この構成を採用すれば、全ての関係データを一度にバックアップする場合に比べ、遠隔制御システムの動作に与える影響を低減することができる。
【００５０】
（実施形態２）
本実施形態の基本構成は実施形態１と共通であるので、共通する部分については同じ符号を付して説明を省略する。
【００５１】
本実施形態は、図５（ｂ）に示すように、１側面（図５（ｃ），（ｄ）における下面）に被接続凹部１ａが設けられ、関係データが出力されるデータ出力端子としての被接続端子１ｂが被接続凹部１ａの内面に設けられた伝送制御装置１に対して、図５（ｄ）に示すように接続されるものであって、図５（ａ），（ｃ）に示すように、ハウジング４０の上方に突出して被接続凹部１ａに嵌合する扁平な接続部４４ｂを有する。また、送受信部４４は、図６に示すように、信号線Ｌｓが接続される入出力端子４４ａに代えて、接続部４４ｂの表裏両面にそれぞれ保持されて接続部４４が被接続凹部１ａに嵌合したときに被接続端子１ｂに接触導通するデータ入力端子としての接続端子４４ｃを有する。すなわち、本実施形態における関係データの読み取りは、信号線Ｌｓではなく、接続端子４４ｃ及び被接続端子１ｂを介して行われる。
【００５２】
さらに、ハウジング４０に対して左右にスライド可能に保持されハウジング４０の上面に露出するスライドハンドル４４ｄを備える。接続部４４ｂは、ハウジング４０の内面により上下にスライド可能にガイドされてスライドハンドル４４ｄに連動し、スライドハンドル４４ｄをハウジング４０に対してスライドさせるとハウジング４０の上面に対する接続部４４の突出寸法が変化するようになっている。すなわち、スライドハンドル４４ｄを右方へスライドさせれば接続部４４ｂはハウジング４０内に収納されて接続端子４４ｃが保護され、スライドハンドル４４ｄを左方へスライドさせれば接続部４４ｂはハウジング４０の上方へ突出して伝送制御装置１への接続が可能となる。このような機構は周知の技術で実現可能であるので、詳細な図示並びに説明は省略する。
【００５３】
上記構成によれば、実施形態１に比べて伝送制御装置１への接続が容易となる。また、伝送制御装置１への接続状態が信号線に依存しないから安定する。
【００５４】
（実施形態３）
本実施形態は、図７〜図９に示すように、実施形態１や実施形態２における設定内容記憶装置４を一体化した伝送制御装置１に関する。すなわち、本実施形態の伝送制御装置１は、信号線Ｌｓを介して制御側端末器２及び負荷側端末３との間で時分割多重伝送方式により伝送信号を授受する送受信部１１と、揮発性メモリからなり制御に用いられる関係データが格納される設定内容記憶部１２と、トリガ生成手段によりトリガが生成されたときに、制御側端末器２から信号線Ｌｓと送受信部１１とを介して監視データを受け取り、受け取った監視データに基いて負荷を制御する制御データを生成するとともに、トリガを生成したトリガ生成手段に対して設定内容記憶部１２に格納された関係データによって関係付けられた負荷を接続した負荷側端末器３へ、送受信部１１を制御して制御データを伝送させる制御部１３と、上記各部を収納した直方体形状のハウジング１０とを備える。
【００５５】
さらに、実施形態１及び実施形態２の設定内容記憶装置４と同様に、時刻を計時するタイマ部４１と、例えばＥＥＰＲＯＭのような不揮発性メモリからなり関係データが格納される予備記憶部としての関係データ記憶部４２と、バックアップが行われる時刻とバックアップする関係データの範囲との組がプログラム番号を付されて少なくとも１組格納された動作記憶部４３とを備え、制御部１３は、タイマ部４１によって計時された時刻が動作記憶部４３に格納された時刻のうち予め設定されたプログラム番号に対応した時刻となったときに、設定内容記憶部１２に格納されている関係データの少なくとも一部を関係データ記憶部４２に格納する。
【００５６】
また、本実施形態は、信号線Ｌｓ間の短絡を検知する短絡検知部１４を備える。短絡検知部１４は、ハウジング１０の前面に露出する発光ダイオードＬＤを有し、信号線Ｌｓ間の短絡が検知されたときに発光ダイオードＬＤを点灯させる。
【００５７】
さらに、ハウジング１０の前面に露出する液晶パネル４６ａ及びその駆動回路からなる表示部４６と、実施形態１と同様にハウジング１０の前面に露出する押釦４７ａ〜４７ｆを有し使用者によって操作される操作部４７と、制御部４５によって制御され例えばフラッシュメモリを用いたカード形状の記憶媒体である外部メモリＭＣとの間で関係データの書き込み及び読み出しを行うメモリライタ部４８と、交流電源に接続されて上記各部に電源を供給する電源部１５とを備える。送受信部１１に電気的に接続され信号線Ｌｓが接続される入出力端子１１ａ、及び、電源部１５に電気的に接続され交流電源に接続される電源端子１５ａは、それぞれねじ端子からなり、ハウジング１０の前面の左右両端にそれぞれ設けられた凹部１０ａに収納されている。また、外部メモリＭＣが挿抜されるスロット４８ａを有する。
【００５８】
本実施形態において、伝送制御装置１としての本来の動作は従来の伝送制御装置１と共通であり、関係データを関係データ記憶部４２に格納する動作や、動作記憶部４３に格納されたプログラム番号毎の動作内容が設定されるときの動作など、設定内容記憶装置４としての動作は、伝送制御装置１と設定内容記憶装置４との間の信号の送受信が不要となる点以外は実施形態１と共通であるため、詳細な説明は省略する。
【００５９】
上記構成によれば、実施形態１と同様の効果に加え、実施形態１や実施形態２のように設定内容記憶装置４を別途に配設する場合に比べて施工性が向上するという効果が得られる。
【図面の簡単な説明】
【００６０】
【図１】本発明の実施形態１の使用形態を示す説明図である。
【図２】同上の構成を示すブロック図である。
【図３】同上を示す図であり、（ａ）は正面図、（ｂ）は右側面図、（ｃ）は下面図である。
【図４】同上の動作を示す説明図である。
【図５】本発明の実施形態２と伝送制御装置とを示す図であり、（ａ）は実施形態２を示す平面図であり、（ｂ）は伝送制御装置を示す下面図であり、（ｃ）は実施形態２と伝送制御装置とを分離した状態を示す正面図であり、（ｄ）は実施形態２と伝送制御装置とを接続した状態を示す正面図である。
【図６】本発明の実施形態２の構成を示すブロック図である。
【図７】本発明の実施形態３の使用形態を示す説明図である。
【図８】同上の構成を示すブロック図である。
【図９】同上を示す図であり、（ａ）は正面図、（ｂ）は右側面図、（ｃ）は下面図である。
【図１０】従来例を示す説明図である。
【図１１】伝送信号の一例を示す説明図であり、（ａ）はデータ構造を示し、（ｂ）は波形の一例を示し、（ｃ）は割り込み信号の波形の一例を示す。
【符号の説明】
【００６１】
１  伝送制御装置
２  制御側端末器
３  負荷側端末器
４  設定内容記憶装置
１ｂ  被接続端子
１１  送受信部
１２  設定内容記憶部
１３  制御部
４１  タイマ部
４２  関係データ記憶部
４３  動作記憶部
４４  送受信部
４４ｃ  接続端子
４５  制御部
４８  メモリライタ部
Ｌｓ  信号線
ＭＣ  外部メモリ
【図１】
2007142576.tif 000003
【図２】
2007142576.tif 000004
【図３】
2007142576.tif 000005
【図４】
2007142576.tif 000006
【図５】
2007142576.tif 000007
【図６】
2007142576.tif 000008
【図７】
2007142576.tif 000009
【図８】
2007142576.tif 000010
【図９】
2007142576.tif 000011
【図１０】
2007142576.tif 000012
【図１１】
2007142576.tif 000013